(57)【要約】      （修正有）【課題】蓄電池の劣化を抑え、かつ、電力系統における電力の安定化を図ることができる情報処理装置及び蓄電装置の制御装置を提供する。【解決手段】情報処理装置は、蓄電装置からの状態データに基づいて、蓄電装置が備える蓄電池に充電または放電を指示する充放電指令データを生成する演算部、を備える。蓄電装置は、電力系統に接続されている蓄電池の状態量を測定する状態量測定部と、状態量測定部が測定した状態量を示す状態量データと、状態量測定部が状態量を測定した時刻とを対応付けて記憶する記憶部と、記憶部が記憶している状態量データを送信する送信部と、蓄電池に充電または放電を指示する充放電指令データを受信する受信部と、充放電指令データに基づいて、蓄電池の充放電量を制御する制御部を備える。【選択図】図３
2018157647.tif 000002
【特許請求の範囲】
【請求項１】
蓄電装置からの状態データに基づいて、前記蓄電装置が備える蓄電池に充電または放電を指示する充放電指令データを生成する演算部、
を備える情報処理装置。
【請求項２】
前記演算部は、
前記状態データに基づいて、前記蓄電池における将来の劣化を予測し、将来異常が発生するか否かを判定する、
請求項１に記載の情報処理装置。
【請求項３】
前記演算部は、
前記状態データに基づいて、前記蓄電装置をグループ分けし、グループ分けしたグループごとに応じた前記充放電指令データを生成する、
請求項１または請求項２に記載の情報処理装置。
【請求項４】
電力系統に接続されている蓄電池の状態量を測定する状態量測定部と、
前記状態量測定部が測定した状態量を示す状態量データと、前記状態量測定部が前記状態量を測定した時刻とを対応付けて記憶する記憶部と、
前記記憶部が記憶している状態量データを送信する送信部と、
前記蓄電池に充電または放電を指示する充放電指令データを受信する受信部と、
前記充放電指令データに基づいて、前記蓄電池の充放電量を制御する制御部と、
を備える蓄電装置の制御装置。
【請求項５】
請求項１から請求項３の何れか一項に記載の情報処理装置と、
請求項４に記載の蓄電装置の制御装置と、
前記蓄電装置が備える蓄電池と、
を備える電力システム。
【請求項６】
蓄電装置からの状態データに基づいて、前記蓄電装置が備える蓄電池に充電または放電を指示する充放電指令データを生成すること、
を含む制御方法。
【請求項７】
電力系統に接続されている蓄電池の状態量を測定することと、
測定した状態量を示す状態量データと、前記状態量を測定した時刻とを対応付けて記憶することと、
記憶している状態量データを送信することと、
前記蓄電池に充電または放電を指示する充放電指令データを受信することと、
前記充放電指令データに基づいて、前記蓄電池の充放電量を制御することと、
を含む制御方法。
【請求項８】
電力系統に接続されている蓄電池の状態量を測定することと、
測定した状態量を示す状態量データと、前記状態量を測定した時刻とを対応付けて記憶することと、
記憶している状態量データを送信することと、
前記状態量データを含む状態データに基づいて、前記蓄電池に充電または放電を指示する充放電指令データを生成すること、
前記充放電指令データを受信することと、
前記充放電指令データに基づいて、前記蓄電池の充放電量を制御することと、
を含む制御方法。
【請求項９】
コンピュータに、
蓄電装置からの状態データに基づいて、前記蓄電装置が備える蓄電池に充電または放電を指示する充放電指令データを生成すること、
を実行させるプログラム。
【請求項１０】
コンピュータに、
電力系統に接続されている蓄電池の状態量を測定することと、
測定した状態量を示す状態量データと、前記状態量を測定した時刻とを対応付けて記憶することと、
記憶している状態量データを送信することと、
前記蓄電池に充電または放電を指示する充放電指令データを受信することと、
前記充放電指令データに基づいて、前記蓄電池の充放電量を制御することと、
を実行させるプログラム。
【発明の詳細な説明】
【技術分野】
【０００１】
本発明は、情報処理装置、蓄電装置の制御装置、電力システム、制御方法及びプログラムに関する。
【背景技術】
【０００２】
電力の自由化に伴い、蓄電装置が普及し、蓄電装置の所有者の使用目的に応じたさまざまな運用が行われている。
特許文献１には、関連する技術として、特性の異なる蓄電装置を運用するために、充電率に応じた分担率に基づいて蓄電装置の指令値を生成する技術が記載されている。
【先行技術文献】
【特許文献】
【０００３】
【特許文献１】特開２０１６−１５２７１８号公報
【発明の概要】
【発明が解決しようとする課題】
【０００４】
ところで、電力の自由化に伴い、個人向けの蓄電装置を設置する家庭が増えている。
家庭に設置される蓄電装置では、個人ごとに異なる使用目的、すなわち、異なる実負荷に基づいて運用される場合であっても、ある決められた少数の運用モードしか蓄電装置には用意されておらず、蓄電装置の所有者はその少数の運用モードの中から１つを選択しなければならない場合が多い。また、家庭に設置される蓄電装置では、各運用モードにおいて、設定可能なパラメータの調整範囲が狭い場合が多い。さらに、家庭に設置される蓄電装置は、連携して動作する発電システム（例えば、太陽光発電機：ＰＶ（Ｐｈｏｔｏｖｏｌｔａｉｃｓ）、燃料電池：ＦＣ（ｆｕｅｌ  ｃｅｌｌ）など）の種類、その発電システムの出力電力、蓄電装置の所有者ごとの電力の消費パターンなどによって、使用される状態が世界中で大きく異なる。
また、電力の自由化に伴い、電力系統における電力が以前よりも不安定になり易い。そのため、以前に行われていた電力系統における電力の安定化（周波数の安定化、電力値の安定化）と同様に、画一的かつ周期的に蓄電池の充放電を行ったときの電力を用いて電力系統における電力の安定化を図ると、蓄電池の劣化が以前に比べてより進む可能性が高い。
【０００５】
そこで、蓄電装置の劣化を抑え、かつ、電力系統における電力の安定化を図ることのできる技術が求められていた。
【０００６】
本発明は、上記の課題を解決することのできる情報処理装置、蓄電装置の制御装置、電力システム、制御方法及びプログラムを提供することを目的としている。
【課題を解決するための手段】
【０００７】
上記目的を達成するために、本発明の態様は、蓄電装置からの状態データに基づいて、前記蓄電装置が備える蓄電池に充電または放電を指示する充放電指令データを生成する演算部、を備える情報処理装置である。
【０００８】
また、本発明の別の態様は、電力系統に接続されている蓄電池の状態量を測定する状態量測定部と、前記状態量測定部が測定した状態量を示す状態量データと、前記状態量測定部が前記状態量を測定した時刻とを対応付けて記憶する記憶部と、前記記憶部が記憶している状態量データを送信する送信部と、前記蓄電池に充電または放電を指示する充放電指令データを受信する受信部と、前記充放電指令データに基づいて、前記蓄電池の充放電量を制御する制御部と、を備える蓄電装置の制御装置である。
【０００９】
また、本発明の別の態様は、上記の情報処理装置と、上記の蓄電装置の制御装置と、前記蓄電装置が備える蓄電池と、を備える電力システムである。
【００１０】
また、本発明の別の態様は、蓄電装置からの状態データに基づいて、前記蓄電装置が備える蓄電池に充電または放電を指示する充放電指令データを生成すること、を含む制御方法である。
【００１１】
また、本発明の別の態様は、電力系統に接続されている蓄電池の状態量を測定することと、測定した状態量を示す状態量データと、前記状態量を測定した時刻とを対応付けて記憶することと、記憶している状態量データを送信することと、前記蓄電池に充電または放電を指示する充放電指令データを受信することと、前記充放電指令データに基づいて、前記蓄電池の充放電量を制御することと、を含む制御方法である。
【００１２】
また、本発明の別の態様は、電力系統に接続されている蓄電池の状態量を測定することと、測定した状態量を示す状態量データと、前記状態量を測定した時刻とを対応付けて記憶することと、記憶している状態量データを送信することと、前記状態量データを含む状態データに基づいて、前記蓄電池に充電または放電を指示する充放電指令データを生成すること、前記充放電指令データを受信することと、前記充放電指令データに基づいて、前記蓄電池の充放電量を制御することと、を含む制御方法である。
【００１３】
また、本発明の別の態様は、コンピュータに、蓄電装置からの状態データに基づいて、前記蓄電装置が備える蓄電池に充電または放電を指示する充放電指令データを生成すること、を実行させるプログラムである。
【００１４】
また、本発明の別の態様は、コンピュータに、電力系統に接続されている蓄電池の状態量を測定することと、測定した状態量を示す状態量データと、前記状態量を測定した時刻とを対応付けて記憶することと、記憶している状態量データを送信することと、前記蓄電池に充電または放電を指示する充放電指令データを受信することと、前記充放電指令データに基づいて、前記蓄電池の充放電量を制御することと、を実行させるプログラムである。
【発明の効果】
【００１５】
本発明によれば、蓄電装置の劣化を抑え、かつ、電力系統における電力の安定化を図ることができる。
【図面の簡単な説明】
【００１６】
【図１】本発明の一実施形態による電力システムの構成を示す図である。
【図２】本発明の一実施形態による蓄電装置の構成を示す図である。
【図３】本発明の一実施形態による情報処理装置の構成を示す図である。
【図４】本発明の一実施形態における充放電指令値の生成を説明するための図である。
【図５】本発明の一実施形態による電力システムの処理フローを示す図である。
【図６】本発明の一実施形態による電力システムの効果を説明するための第１の図である。
【図７】本発明の実施形態による情報処理装置の最小構成を示す図である。
【図８】本発明の一実施形態による電力システムの効果を説明するための第２の図である。
【図９】本発明の一実施形態による電力システムの効果を説明するための第３の図である。
【図１０】本発明の一実施形態による電力システムの効果を説明するための第４の図である。
【図１１】本発明の一実施形態による電力システムの効果を説明するための第５の図である。
【図１２】本発明の一実施形態による電力システムの効果を説明するための第６の図である。
【図１３】本発明の一実施形態による電力システムの効果を説明するための第７の図である。
【図１４】本発明の一実施形態による電力システムの効果を説明するための第８の図である。
【発明を実施するための形態】
【００１７】
＜実施形態＞
以下、図面を参照しながら実施形態について詳しく説明する。
（電力システムの構成）
本発明の一実施形態による電力システム１の構成について説明する。
本発明の一実施形態による電力システム１は、図１に示すように、蓄電装置１０ａ、１０ｂ、１０ｃと、情報処理装置２０と、通信ネットワーク３０と、を備える。
なお、蓄電装置１０ａ、１０ｂ、１０ｃを総称して、蓄電装置１０と呼ぶ。
【００１８】
（蓄電装置の構成）
蓄電装置１０のそれぞれは、後述する同等の条件下で使用されている蓄電装置１０をグループ化し、グループごとの特徴に応じて蓄電池の充放電を制御するための充放電指令値（充放電指令データ）を生成する。そして、蓄電装置１０のそれぞれは、自装置の劣化の少ない条件下において、生成した充放電指令値を用いて電力系統における負荷変動に伴う電力の周波数変動を抑制するように蓄電池の充放電量を制御する。蓄電装置１０のそれぞれは、このように、電力系統における負荷変動に伴う電力の周波数変動を抑制すると共に、自装置の劣化を抑制する装置である。
【００１９】
蓄電装置１０のそれぞれは、図２に示すように、蓄電池１０１と、測定部１０２（状態量測定部、充放電測定部）と、記憶部１０３と、送信部１０４と、受信部１０５と、制御部１０６と、電力変換部１０７と、を備える。
【００２０】
蓄電池１０１は、電力変換部１０７を介して電力系統に対して充電及び放電を行うことができる二次電池である。
なお、蓄電池１０１は、複数の電池セルが直列、並列、および、直並列のうちの１つ、または、複数を組み合わせて接続されるものであってもよい。
【００２１】
測定部１０２は、蓄電池１０１の状態量を測定する。ここで、蓄電池１０１の状態量とは、蓄電池１０１が出力する電圧、蓄電池１０１が出力する電流、蓄電池１０１のＳＯＣ（Ｓｔａｔｅ  Ｏｆ  Ｃｈａｒｇｅ）、蓄電池１０１の温度、蓄電池１０１が出力する電流の積算値、蓄電池１０１が充放電した総充放電電力量、蓄電池１０１の残存容量（ＳＯＨ：Ｓｔａｔｅ  ｏｆ  Ｈｅａｌｔｈ）、蓄電池１０１の使用期間（使用開始から現在までの期間）などである。
なお、測定部１０２は、これらの状態量のうちのいずれか１つを測定するものであってもよい。また、測定部１０２は、これらの状態量のうちの複数を測定するものであってもよい。
また、測定部１０２が蓄電池１０１の状態量を測定するタイミングは、予め設定された所定のタイミング（例えば、ある周期毎のタイミング）であってもよい。
測定部１０２は、測定した蓄電池１０１の状態量を記憶部１０３に書き込む。ここで、測定部１０２が測定した蓄電池１０１の状態量を示すデータを状態量データと呼ぶ。
【００２２】
記憶部１０３は、状態量データと、測定時刻とを対応付けて記憶する。ここで、測定時刻とは、測定部１０２が測定した時刻である。
また、記憶部１０３は、設置地域情報と、自記憶部１０３を備える蓄電装置１０の装置仕様情報とを記憶する。ここで、設置地域情報とは、自記憶部１０３を備える蓄電装置１０の設置地域を示す情報である。また、装置仕様情報とは、蓄電装置１０の総容量（ｋＷｈ）、充放電電力（ｋＷ）などの充放電性能を示す情報である。
【００２３】
送信部１０４は、通信ネットワーク３０を介して情報処理装置２０に測定データを送信する。ここで、状態データとは、状態量データと、設置地域情報と、装置仕様情報とを含む情報である。
【００２４】
受信部１０５は、情報処理装置２０から充放電指令値を受信する。ここで、充放電指令値とは、蓄電装置１０の充放電を制御するための指令値である。
【００２５】
制御部１０６は、受信部１０５が受信した充放電指令値に基づいて、電力変換部１０７を制御することにより蓄電池１０１の充放電量を制御する。
また、制御部１０６は、送信部１０４の送信と、受信部１０５の受信とを制御する。
電力変換部１０７は、電力系統と、蓄電池１０１と、制御部１０６とに接続される。電力変換部１０７は、制御部１０６による制御に基づいて、電力系統から受電する交流電力を直流電力に変換する。また、電力変換部１０７は、制御部１０６による制御に基づいて、蓄電池１０１から受電する直流電力を交流電力に変換する。
【００２６】
なお、蓄電装置１０がＢＭＵ（Ｂａｔｔｅｒｙ  Ｍａｎａｇｅｍｅｎｔ  Ｕｎｉｔ）とシステムコントローラとを含むハードウェアで実現される場合には、ＢＭＵに含まれる測定部１０２が蓄電池１０１の状態量を測定する。また、蓄電装置１０がＢＭＵとシステムコントローラとを含むハードウェアで実現される場合には、記憶部１０３が測定量データを記憶する。
また、送信部１０４は、ＢＭＵと同期している状況では、記憶部１０３が記憶する状態量データをそのまま読み出して取得する場合と、状態量データを加工（例えば、状態量データを選別する、または、状態量データを平均化するなど）して取得する場合とがある。したがって、送信部１０４は、それぞれの場合に応じたタイミングで状態量データを取得することになる。なお、送信部１０４は、他の要因で状態量データを取得するタイミングが変更される可能性があることは言うまでもない。このことは、本発明の別の実施形態についても同様である。
【００２７】
（情報処理装置の構成）
情報処理装置２０は、後述する基準値に対するオフセット値に応じた充放電指令値を生成し、生成した充放電指令値を、通信ネットワークを介して蓄電装置１０へ送信する装置である。
情報処理装置２０は、図３に示すように、電力系統計測部２０１と、演算部２０２と、を備える。
【００２８】
電力系統計測部２０１は、周波数測定部２０１１と、電力測定部２０１２と、を備える。
周波数測定部２０１１は、電力系統における電力の周波数（電圧の周波数、及び、電流の周波数のうちの少なくとも一方）を測定する。
電力測定部２０１２は、電力系統における電力の大きさを測定する。
電力系統計測部２０１は、測定した電力系統における電力の周波数と、測定した電力系統における電力の大きさとを演算部２０２に送信する。
【００２９】
演算部２０２は、オフセット生成部２０２１と、状態取得部２０２２と、分類部２０２３と、指令値生成部２０２４と、を備える。
オフセット生成部２０２１は、電力系統における電力の周波数の基準値と、電力系統における電力の大きさの基準値とを取得する。
具体的には、オフセット生成部２０２１は、記憶部１０３が記憶する電力系統における電力の周波数の基準値と、電力系統における電力の大きさの基準値とを読み出す。また、オフセット生成部２０２１は、電力系統における電力の周波数の基準値と、電力系統における電力の大きさの基準値とが予め書き込まれ、それらの基準値を保持するものであってもよい。
【００３０】
オフセット生成部２０２１は、電力系統計測部２０１が測定した電力系統における電力の周波数と、電力系統計測部２０１が測定した電力系統における電力の大きさとを電力系統計測部２０１から受信する。
【００３１】
オフセット生成部２０２１は、取得した電力系統における電力の周波数の基準値と、電力系統計測部２０１から受信した電力系統における電力の周波数とを比較する。
そして、オフセット生成部２０２１は、比較結果に応じた周波数オフセット値を生成する。ここで、周波数オフセット値とは、オフセット生成部２０２１が取得した電力系統における電力の周波数の基準値を基準とし、オフセット生成部２０２１が電力系統計測部２０１から受信した電力系統における電力の周波数がその基準とどれだけの差があるかを示す値である。
【００３２】
また、オフセット生成部２０２１は、電力系統における電力の大きさの基準値と、電力系統計測部２０１から受信した電力系統における電力の大きさとを比較する。
そして、オフセット生成部２０２１は、比較結果に応じた電力オフセット値を生成する。ここで、電力オフセット値とは、オフセット生成部２０２１が取得した電力系統における電力の大きさの基準値を基準とし、オフセット生成部２０２１が電力系統計測部２０１から受信した電力系統における電力の大きさがその基準とどれだけの差があるかを示す値である。
【００３３】
オフセット生成部２０２１は、生成した周波数オフセット値と、生成した電力オフセット値とを指令値生成部２０２４に送信する。
【００３４】
状態取得部２０２２は、蓄電装置１０のそれぞれの状態データを取得する。
状態取得部２０２２は、取得した状態データを分類部２０２３と、指令値生成部２０２４と、に送信する。
【００３５】
分類部２０２３は、状態取得部２０２２から状態データを受信する。
分類部２０２３は、受信した状態データに基づいて、蓄電装置１０のそれぞれを同様の条件下で使用されるグループごとに分類する。ここで、同様の条件下とは、蓄電装置１０の充放電を示す充放電パターンがほぼ同一となり、蓄電装置１０の劣化の仕方がほぼ同一となる条件のことである。
具体的には、分類部２０２３は、蓄電装置１０ごとの残存容量、使用期間、設置地域情報などに基づいて分類する。
例えば、分類部２０２３は、残存容量が多いか少ないかを判定するための残存容量しきい値を設定する。そして、分類部２０２３は、蓄電装置１０の実際の残存容量がその残存容量しきい値以上であると判定した場合、その蓄電装置１０を残存容量の多いグループに分類する。また、分類部２０２３は、蓄電装置１０の実際の残存容量がその残存容量しきい値未満であると判定した場合、その蓄電装置１０を残存容量の少ないグループに分類する。
また、例えば、分類部２０２３は、使用期間が長いか短いかを判定するための使用期間しきい値を設定する。そして、分類部２０２３は、蓄電装置１０の実際の使用期間がその使用期間しきい値以上であると判定した場合、その蓄電装置１０を使用期間の長いグループに分類する。また、分類部２０２３は、蓄電装置１０の実際の使用期間がその使用期間しきい値未満であると判定した場合、その蓄電装置１０を使用期間の短いグループに分類する。
また、例えば、分類部２０２３は、蓄電装置１０が設置されている全地域を複数の地域に分割する。分類部２０２３は、その複数の地域のそれぞれを１つのグループとみなし、蓄電装置１０を地域ごとのグループに分類する。そして、分類部２０２３は、各分類の組み合わせが示すグループのそれぞれに蓄電装置１０のすべてを分類する。
上記の例において蓄電装置１０が設置されている全地域をＡとＢの２つの地域に分割すると仮定した場合、分類部２０２３は、各分類を組み合わせた、（残存容量が多い、使用期間が長い、地域Ａ）、（残存容量が多い、使用期間が長い、地域Ｂ）、（残存容量が多い、使用期間が短い、地域Ａ）、（残存容量が多い、使用期間が短い、地域Ｂ）、（残存容量が少ない、使用期間が長い、地域Ａ）、（残存容量が少ない、使用期間が長い、地域Ｂ）、（残存容量が少ない、使用期間が短い、地域Ａ）、（残存容量が少ない、使用期間が短い、地域Ｂ）の８通りに分類する。
分類部２０２３が同様の条件下で使用される蓄電装置１０を１つのグループに分類することによって、各グループにおける蓄電装置１０の充放電を示す充放電パターンがほぼ同一であり、蓄電装置１０の劣化の仕方をほぼ同一とみなすことができる。
【００３６】
分類部２０２３は、分類結果情報を指令値生成部２０２４に送信する。ここで、分類結果情報とは、分類部２０２３が分類したグループごとの蓄電装置１０を示す情報（例えば、各蓄電装置１０の識別子）を含む情報である。
【００３７】
指令値生成部２０２４は、オフセット生成部２０２１から周波数オフセット値と、電力オフセット値とを受信する。
指令値生成部２０２４は、状態取得部２０２２から状態データを受信する。
指令値生成部２０２４は、分類部２０２３から分類結果情報を受信する。
【００３８】
指令値生成部２０２４は、受信した周波数オフセット値と、受信した電力オフセット値と、受信した状態データとに基づいて、分類結果情報が示すグループごとに、そのグループの条件に応じた充放電指令値であって、周波数オフセット値と電力オフセット値を打ち消す充放電指令値を各蓄電装置１０について生成する。
具体的には、指令値生成部２０２４は、図４に示すように、電力系統における電力の周波数が低下した場合、蓄電池１０１に対して放電を指示する充放電指令値を生成する。また、指令値生成部２０２４は、電力系統における電力の周波数が上昇した場合、蓄電池１０１に対して充電を指示する充放電指令値を生成する。
【００３９】
なお、蓄電装置１０の条件が劣化の進行の早い条件である場合、指令値生成部２０２４が生成する充放電指令値には、蓄電装置１０の条件を劣化の進行の早い条件から劣化の進行の遅い条件へと変化させる指令を含む指令値が含まれる。
例えば、蓄電装置１０の条件が劣化の進行の早い条件（例えば、蓄電池１０１のＳＯＣが１００％及び０％）であり、電力系統における電力の周波数が低下した場合、指令値生成部２０２４は、蓄電装置１０の条件を劣化の進行の遅い条件（例えば、蓄電池１０１のＳＯＣが５０％）に変更し、かつ、蓄電池１０１に対して放電を指示する充放電指令値を生成する。
また、例えば、蓄電装置１０の条件が劣化の進行の早い条件であり、電力系統における電力の周波数が上昇した場合、指令値生成部２０２４は、蓄電装置１０の条件を劣化の進行の遅い条件に変更し、かつ、蓄電池１０１に対して充電を指示する充放電指令値を生成する。
【００４０】
また、指令値生成部２０２４は、残存容量の少ない蓄電装置１０に対して、充放電量を少なく割り当てる充放電指令値を生成してもよい。
また、指令値生成部２０２４は、使用期間が短く残存容量の多い蓄電装置１０に対して、充放電量を多く割り当てる充放電指令値を生成する。
また、指令値生成部２０２４は、蓄電装置１０の設置地域における年間の温度変動に応じて充放電量を割り当てる充放電指令値を生成する。具体的には、指令値生成部２０２４は、劣化の進行の小さい温度範囲（例えば、常温２０℃〜２５℃）では、充放電量を最大とする充放電指令値を生成する。また、指令値生成部２０２４は、劣化の進行の大きい温度範囲（例えば、常温よりも高温または低温の温度範囲）では、充放電量を少なくする充放電指令値を生成する。
【００４１】
こうすることで、指令値生成部２０２４は、電力系統における電力の周波数変動を抑制することができ、かつ、蓄電池１０１の劣化を抑制することができる。その結果、蓄電池１０１の寿命を延ばすことができる。
なお、配電事業者は、長期（１か月間、１年間など）の発電量の予測を行っており、各蓄電装置１０が充放電することで１日の間で発生する電力系統における電力の周波数変動を抑制する。
【００４２】
次に、本発明の一実施形態による電力システム１の処理について説明する。
ここでは、図５に示す電力システム１の処理フローについて説明する。
なお、本発明の一実施形態による電力システム１の処理についての説明では、複数の蓄電装置１０が同様の処理を行う場合であっても、便宜上、１つの蓄電装置１０についてだけ説明することがある。
【００４３】
送信部１０４のそれぞれは、通信ネットワーク３０を介して情報処理装置２０に自送信部１０４を備える蓄電装置１０についての状態データを送信する（ステップＳ１）。
【００４４】
状態取得部２０２２は、送信部１０４のそれぞれから状態データを受信する（ステップＳ２）。
【００４５】
周波数測定部２０１１は、電力系統における電力の周波数（電圧の周波数、及び、電流の周波数のうちの少なくとも一方）を測定する。周波数測定部２０１１は、測定した電力系統における電力の周波数を演算部２０２に送信する。
電力測定部２０１２は、電力系統における電力の大きさを測定する。電力測定部２０１２は、測定した電力系統における電力の大きさを演算部２０２に送信する。
オフセット生成部２０２１は、周波数測定部２０１１から電力系統における電力の周波数を受信する（ステップＳ３）。
オフセット生成部２０２１は、電力測定部２０１２から電力系統における電力の大きさを受信する（ステップＳ４）。
【００４６】
オフセット生成部２０２１は、電力系統における電力の周波数の基準値を取得する（ステップＳ５）。
また、オフセット生成部２０２１は、電力系統における電力の大きさの基準値を取得する（ステップＳ６）。
【００４７】
オフセット生成部２０２１は、取得した電力系統における電力の周波数の基準値と、電力系統計測部２０１から受信した電力系統における電力の周波数とを比較する。
そして、オフセット生成部２０２１は、電力系統における電力の周波数の基準値を基準とした周波数オフセット値を生成する（ステップＳ７）。
【００４８】
また、オフセット生成部２０２１は、取得した電力系統における電力の大きさの基準値と、電力系統計測部２０１から受信した電力系統における電力の大きさとを比較する。
そして、オフセット生成部２０２１は、電力系統における電力の大きさの基準値を基準とした電力オフセット値を生成する（ステップＳ８）。
【００４９】
オフセット生成部２０２１は、生成した周波数オフセット値と、生成した電力オフセット値とを指令値生成部２０２４に送信する。
【００５０】
状態取得部２０２２は、蓄電装置１０のそれぞれの状態データを取得する。
状態取得部２０２２は、取得した状態データを分類部２０２３と、指令値生成部２０２４とに送信する。
【００５１】
分類部２０２３は、状態取得部２０２２から状態データを受信する。
分類部２０２３は、受信した状態データに基づいて、蓄電装置１０のそれぞれを複数のグループに分類する（ステップＳ９）。
分類部２０２３は、分類結果情報を指令値生成部２０２４に送信する。
【００５２】
指令値生成部２０２４は、オフセット生成部２０２１から周波数オフセット値と、電力オフセット値とを受信する。
指令値生成部２０２４は、状態取得部２０２２から状態データを受信する。
指令値生成部２０２４は、分類部２０２３から分類結果情報を受信する。
指令値生成部２０２４は、受信した周波数オフセット値と、受信した電力オフセット値と、受信した状態データと、に基づいて、分類結果情報が示すグループごとに、そのグループの条件に応じた充放電指令値を各蓄電装置１０について生成する（ステップＳ１０）。
指令値生成部２０２４は、生成した充放電指令値を蓄電装置１０のそれぞれに送信する（ステップＳ１１）。
【００５３】
受信部１０５は、指令値生成部２０２４から自蓄電装置１０の充放電を制御するための充放電指令値を受信する（ステップＳ１２）。
制御部１０６は、受信部１０５が受信した充放電指令値に基づいて、蓄電池１０１の充放電量を制御する（ステップＳ１３）。
【００５４】
ところで、一般的に、蓄電池１０１の劣化の進行は、蓄電池１０１が動作する温度、蓄電池１０１が太陽光発電機や燃料電池と連携して使用されるかなどの条件が関係している。
図６に示すように、一般的に、常温状態（例えば周囲温度２５℃）よりも高温状態（例えば周囲温度４０℃）で使用されている蓄電池１０１の劣化の進行は、低温状態（例えば周囲温度−２０℃）で使用されている蓄電池１０１の劣化の進行よりも早い傾向にある。
また、蓄電池１０１は、太陽光発電機や燃料電池と連携して使用され、電力価格の安い時間帯（例えば夜間）に充電されることが多い。また、蓄電池１０１は、排熱を有効利用することでエネルギー効率を上げることができる燃料電池の電力で早朝及び夕方のうちの少なくとも一方に充電される場合もある。
また、日中に太陽光発電機によって発電された電力が消費される場合がある。太陽光発電機により発電される電力が日中に消費される電力を上回れば、その余剰分の電力を売電することができる。一方、一般的に、蓄電装置１０は、補助金を用いて購入される場合が多く、その場合には蓄電池１０１に充電された電力を売電することはできない。そのため、太陽光発電機により発電される電力が日中に消費される電力を上回る場合、太陽光発電機と連携して使用される蓄電池１０１に充電された電力は日中ほとんど使用されない。そのため、蓄電池１０１は満充電状態で維持される。そして、蓄電池１０１に蓄えられた電力は、太陽光発電機による発電量が小さくなる日没後に消費され始めることになる。
また、太陽光発電機は、地域による発電量が大きく異なる。日本では、太平洋側の平地における日照時間は比較的長いが、日本海側における冬季の日照時間は大変短い。また、１日の間でも、天候が晴れと、曇りと、雨とでは、発電量が大幅に変化する。そのため、雨のち晴れのような天候では、蓄電池１０１は、自電池の電力を使い切った後に太陽光発電機によって発電された電力を用いて充電される場合もある。この場合、蓄電池１０１は、１日に２回充放電することになる。そのため、蓄電装置１０の設置時期から使用期間が同じであっても蓄電池１０１ごとに容量の劣化は大きく変化する。
したがって、太陽光発電機と連携して動作する蓄電池１０１は、図６に示すように、太陽光発電機と連携せずに動作する蓄電池１０１に比べて、満充電状態での保管における劣化が進行し易くなる。
また、太陽光発電機と連係して動作するか否かにかかわらず、図６に示すように、異常が検出された蓄電池１０１の劣化の進行は、異常が検出されていない蓄電池１０１の劣化の進行に比べて早くなる。
また、蓄電池１０１が非常用電源として、常時、全容量の２０〜３０％の充電状態で使用される場合、蓄電池１０１の容量を常に使い切る使われ方をする場合よりも蓄電池１０１の劣化の進行が早くなる傾向にある。
そのため、蓄電装置１０が通常の劣化の進行からの大きなずれを検出した場合、演算部２０２は、その蓄電池１０１に異常が発生したと判定することができる。
【００５５】
上述したように、劣化が進行する蓄電池１０１の状態を互いに比較した相関をクラウド上で抽出することによって、情報処理装置２０は、同様の条件下で使用されている蓄電池１０１の容量の劣化がどのように進行するかを特定することができる。そのため、詳細な蓄電池１０１の測定データがなく使用期間が異なる蓄電池１０１であっても、情報処理装置２０は、将来の寿命を推定することが可能となる。また、情報処理装置２０は、同様の条件下で使用されている蓄電池１０１の劣化の進行が、同様の条件下で使用されている他の複数の蓄電池の劣化の進行と異なる傾向のずれが生じたと判定した場合、通常の経時劣化とは異なる原因による劣化が生じた可能性が高いと判定することができる。そのため、情報処理装置２０は、通信ネットワーク３０におけるクラウド上で同様の条件下で使用される複数の蓄電装置１０の劣化を監視することにより、蓄電池１０１における異常の発生を推定し、部品の交換などの準備を進めることにより、ユーザが必要なときに蓄電装置１０を使用することができないという不便さを解消することができる。
【００５６】
以上、本発明の一実施形態による情報処理装置２０について説明した。本発明の一実施形態による情報処理装置２０は、蓄電装置１０からの状態データに基づいて、蓄電装置１０が備える蓄電池１０１に充電または放電を指示する充放電指令データを生成する演算部２０２、を備える。
こうすることで、蓄電池１０１の劣化を抑え、かつ、電力系統における電力の安定化を図ることができる。一般的な家庭用の蓄電池１０１は、高い充電状態に維持される場合が多く、特に放電によって保存電力量を低下させ、寿命を延ばすことが可能となるため、電力会社などの配電事業者と、蓄電装置１０の所有者の双方がメリットを享受することができる。
【００５７】
次に、本発明の実施形態による最小構成の情報処理装置２０について説明する。
本発明の実施形態による最小構成の情報処理装置２０は、図７に示すように、演算部２０２、を備える。演算部２０２は、蓄電装置１０からの状態データに基づいて、蓄電装置１０が備える蓄電池１０１に充電または放電を指示する充放電指令データを生成する。
【００５８】
なお、本発明の一実施形態で示したような、蓄電装置１０が電力系統に対して充放電を行い、電力系統における電力の周波数の変動を抑制する制御を行う場合、そのサービスは、電力系統全体の情報を取得できる配電事業者である例えば電力会社、または、その電力会社から委託されたサービス会社から提供される場合が多い。そのサービスを行う際に、電力会社または電力会社から委託されたサービス会社は、電力系統における負荷変動に伴う電力の周波数変動を抑制するための電力を確保するために、電力の充放電に協力する蓄電装置１０の所有者に対して、インセンティブを設けてもよい。
また、蓄電装置１０の装置仕様情報については、蓄電装置１０の所有者がそのサービスに協力する際に登録され、明らかとなる。
【００５９】
なお、本発明の一実施形態では、電力システム１が蓄電装置１０を３つ備える場合を例に電力システム１を説明した。しかしながら、本発明の一実施形態による電力システム１が備える蓄電装置１０は、３つに限定されない。本発明の一実施形態による電力システム１は、複数であれば蓄電装置１０をいくつ備えていてもよい。
【００６０】
なお、本発明の一実施形態による通信ネットワーク３０は、蓄電装置１０ａ〜１０ｃと情報処理装置２０との間で通信を適切に行うことができる限り、どのような通信ネットワークであってもよい。
【００６１】
なお、本発明の一実施形態において、蓄電装置１０は、必要に応じて（例えば、単セル間の電圧差（ＭＡＸ−ＭＩＮ）の値が一定以上になった場合）、単セル間の電圧差を小さくするセルバランス動作を行うものであってもよい。また、蓄電装置１０は、必要に応じて（例えば、電力変換器などの装置の故障によって、その装置と蓄電池１０１との間に規定値以上の電流及び電圧の少なくとも一方が生じた場合）入出力電力を遮断するスイッチを備えてもよい。
【００６２】
また、一般的に、時々刻々と変動する電力の需要、すなわち、時々刻々と変動する電力系統における負荷に伴って電力の周波数変動が生じた場合、図８に示すような負荷変動幅と応答時間とに応じた制御が行われている。
図９は、電力系統における電力のうちのメインの電力を発電する発電機（例えば、電力会社が所有する水力発電機や火力発電機など）の出力を調整し、電力系統における電力の周波数変動を抑制する例を示している。
以前は、このような電力系統における電力の周波数の変動の抑制は、メインの電力を発電する発電機による発電量を調整することで行われていることが多い。しかしながら、電力の自由化によって、電力系統は、再生可能なエネルギーを用いて発電された不安定な電力を受け入れる必要がある。そのため、電力系統における電力の周波数を安定させるためには、より多くの電力を用いて電力の調整幅をより大きくする必要がある。その結果、電力の調整幅を大きくするためのコストが増大する傾向にある。
それに対して、本発明の一実施形態による蓄電装置１０が行う電力系統における電力の周波数変動を抑制する制御は、大きな発電機の出力を数分程度で変動させるよりも、応答性に優れる複数の蓄電池１０１を用いているため、特に、数分から２０分程度の周波数変動による影響を吸収（補償）する場合に、大きな効果が得られる。
また、本発明の一実施形態による蓄電装置１０として、既存の家庭用の蓄電池１０１、または、事業者向けの蓄電池１０１を利用することができるため、大きなコストの増大を伴わずに電力系統における電力の周波数変動を抑制するための電力を確保することができる。
【００６３】
なお、一般的な蓄電装置１０は、電力系統における夜間電力によって充電され、夜明けと共に放電を開始する場合が多い。
本発明の一実施形態による蓄電装置１０は、一般的な蓄電装置１０と同様に、電力系統における夜間電力によって充電され、夜明けと共に放電を開始するものであってもよい。その場合、本発明の一実施形態による蓄電装置１０は、電力系統における電力の周波数変動を抑制するための電力を確保するために、例えば、図１０に示すように、充電の上限をＳＯＣ９０％以下に設定され、放電の下限をＳＯＣ１０％以上に設定される。
【００６４】
また、一般的な蓄電装置１０は、家庭で単独で使用された場合、まず蓄電池１０１における電力から消費される。そのため、蓄電装置１０のＳＯＣは早々に下限に達する可能性が高い。一方、太陽光発電機や燃料電池と連携して動作する一般的な蓄電装置１０では、ＳＯＣが高い値で維持される時間が長くなるため、劣化の進行が早くなる可能性が高い。
したがって、本発明の一実施形態による蓄電装置１０が単独で使用される場合は、一般的な蓄電装置１０を考慮して、図１１に示すように、電力系統における電力の周波数の変動を抑制するための電力の充放電量のうち充電量が多くなるよう設定する。また、本発明の一実施形態による蓄電装置１０が太陽光発電機や燃料電池と連携して使用される場合には、電力系統における電力の周波数変動を抑制するための電力の充放電量のうち放電量が多くなるよう設定する。
このようにすれば、太陽光発電機や燃料電池と連携して動作する本発明の一実施形態による蓄電装置１０のＳＯＣを速やかに低下させることが可能となり、蓄電装置１０の寿命を延ばすことができる。蓄電装置１０の充電電力と放電電力とで差を設けさせるためには、本発明の一実施形態による蓄電装置１０を単独で運用する蓄電装置１０の所有者に対して、配電事業者がインセンティブを設けてもよい。なお、電力系統における電力の周波数変動を抑制するための電力の充電量と放電量とをアンバランスにする設定は、充電期間の総電力量と、放電期間の総電力量との間で差が生じていればよく、図１１に示す波形に限定されることものではない。
【００６５】
また、本発明の一実施形態による蓄電装置１０が充放電を繰り返して、電力系統における電力の周波数変動を抑制する場合、蓄電装置１０が充放電する電力量によっては蓄電池１０１の温度が連続的に上昇する可能性がある。この場合は、各設置地域における異なる温度の蓄電池１０１ごとに、充放電量のピーク値を一定以下に抑えることによって、温度上昇を一定以下に抑えることができる。
【００６６】
また、本発明の一実施形態における蓄電池１０１の材料によっては、図１２に示すように、充放電の開始（図１２では充電の開始）から一定期間吸熱反応（温度の低下）を示す場合もある。そのため、吸熱反応を示す領域を積極的に利用して本発明の一実施形態による蓄電装置１０は、蓄電池１０１の温度上昇を抑制することができる。
【００６７】
また、本発明の一実施形態における蓄電池１０１の材料によっては、図１３に示すように、保管時の寿命がＳＯＣの値に依存する蓄電池１０１が存在する。そのため、蓄電池１０１のＳＯＣの値を高い領域に留めることによって、電力系統における電力の周波数変動を抑制する電力の充電量と放電量のアンバランスを小さくすることが可能である。
具体的には、使用状態の異なる蓄電池群毎に（例えば、ＰＶの有り無し、残量設定の有り無し、外気温の差（地方別）、屋外であるか屋内であるか、空調の有り無しなどのそれぞれの群によって）、周期的に設定を変更し、または、オフセットを設定して、入出力電力の差を変えていく。より具体的には、例えば、残量設定が行われている（例えば、ＳＯＣの値が２０〜８０％の領域で使用される）蓄電池１０１に対して、ＳＯＣの下限値付近で保管される蓄電池１０１の群に対して、系統電力の周波数を安定化させるための充放電電力をアンバランス状態（充電電力を大きくし、それに比べて放電電力を小さくする設定、または、充電電力を小さくし、それに比べて放電電力を大きくする設定のいずれか）に設定する。そして、その設定を周期的に（例えば日単位、週単位等）で変更する。こうすることで、要求される系統電力の周波数を安定させるための充放電電力における波形を全体としては歪みが生じないように維持しつつ、蓄電池１０１の群のそれぞれが特定のＳＯＣの値に滞在する時間を均一化するとともに、蓄電池１０１のそれぞれの劣化を均一化することができる（図１３における符号Ａの矢印の領域を参照）。また、ＳＯＣの上限値付近で保管される蓄電池１０１に対しては、そのＳＯＣの上限値付近での劣化量が極小となる領域へ移動させ（ここでは放電を優先させ）（図１３における符号Ｂの矢印の領域を参照）、その後は極小値近傍を移動する様に、蓄電池１０１の群に対して系統電力の周波数を安定化させるための充放電電力における波形を歪みが生じないように維持しつつ、それぞれの蓄電池１０１の充放電電力の波形はアンバランスとなっている。こうすることで、電力系統における需要家からの要求を満足しつつ、群における蓄電池１０１の劣化を均一化することができる。また、例えば、特定のＳＯＣ（２０％）で劣化が最大となる蓄電池１０１があった場合、そのＳＯＣに滞在する時間が長くなればなるほど劣化が促進される。このような蓄電池１０１が２台あり、２台が受け持つ系統電力の補正量に差を設け（例えば、一方は電力系統への放電のみ、もう一方は電力系統からの充電のみとし）、それぞれのＳＯＣが３０％及び１０％になったところで、充放電を反転させる。すると、ＳＯＣの平均値は２０％であるが、電力系統からの要求にも応え、蓄電池としても劣化が抑制されることになる。また、ＰＶと連携する蓄電池１０１の場合、ＳＯＣが高い値（例えば、８０％）に設定される場合がある。この場合、上述のように、周期的に設定を変更し、オフセットを設定し、または、ＰＶと連携する蓄電池１０１のＳＯＣよりも低い値のＳＯＣに設定されている蓄電池１０１を使用して、ＰＶと連携する蓄電池１０１の高い値のＳＯＣを低い値に移行させる。また、高温状態にある蓄電池１０１の場合、放電を優先的に行うことで、劣化が進行しやすい高温状態から劣化の進行しにくい温度状態に移行させる。
【００６８】
なお、本発明の一実施形態における指令値生成部２０２４が生成する充放電指令値はさまざま存在する。そのため、電力系統における電力の周波数を抑制するために制御部１０６が充放電指令データに基づいて生成する制御信号は、蓄電池１０１の状態量に応じてさまざまな波形が存在する。
図１４は、電力系統における電力の周波数を抑制するための電力の波形の例を示す図である。電力系統における電力の周波数を抑制するための電力の波形は、最も簡単には周期の異なる正弦波の組み合わせで実現可能となる。ただし、充放電電力が短時間に大きく変動する場合も存在する。その場合、電力系統における電力の周波数変動を抑制するための電力の波形は、方形波に近くなる。電力系統における電力の周波数変動を抑制するための電力の波形が方形波に近い場合、蓄電池１０１に対してハイレート（大電流）での充放電が求められることになる。
そのため、容量の大きさに応じて蓄電装置１０に流す電流を割り当てることや、多数の小容量の蓄電池１０１を備える蓄電装置１０の出力を合成することによって、各蓄電装置１０の負荷を軽減する。
また、例えば、各蓄電池１０１に対する負荷の割り当てを周期的に変動させることや、通常の使用状態での充放電の状態や温度の状態に応じて負荷の割り当てを変動させることによって、各蓄電装置１０の負荷を軽減することが考えられる。
このように、蓄電装置１０は、急峻な充放電の要求に対して充放電するための電力を長期的な期間で変動させることによって、蓄電池１０１の寿命を延ばすことができ、また、蓄電装置１０が内蔵する電力変換部１０７の寿命を延ばすこともできる。
【００６９】
なお、本発明の実施形態における処理は、適切な処理が行われる範囲において、処理の順番が入れ替わってもよい。
【００７０】
本発明の実施形態における記憶部のそれぞれは、適切な情報の送受信が行われる範囲においてどこに備えられていてもよい。また、記憶部のそれぞれは、適切な情報の送受信が行われる範囲において複数存在しデータを分散して記憶していてもよい。
【００７１】
本発明の実施形態について説明したが、上述の蓄電装置１０、情報処理装置２０、その他の制御装置は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【００７２】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００７３】
本発明のいくつかの実施形態を説明したが、これらの実施形態は、例であり、発明の範囲を限定しない。これらの実施形態は、発明の要旨を逸脱しない範囲で、追加、種々の省略、置き換え、変更を行ってよい。
【００７４】
なお、上記の実施形態の一部又は全部は、以下の付記のようにも記載されうるが、以下には限られない。
【００７５】
（付記１）蓄電装置からの状態データに基づいて、前記蓄電装置が備える蓄電池に充電または放電を指示する充放電指令データを生成する演算部、
を備える情報処理装置。
【００７６】
（付記２）前記演算部は、
前記状態データに基づいて、前記蓄電池における将来の劣化を予測し、将来異常が発生するか否かを判定する、
付記１に記載の情報処理装置。
【００７７】
（付記３）前記演算部は、
前記状態データに基づいて、前記蓄電装置をグループ分けし、グループ分けしたグループごとに応じた前記充放電指令データを生成する、
付記１または付記２に記載の情報処理装置。
【００７８】
（付記４）電力系統に接続されている蓄電池の状態量を測定する状態量測定部と、
前記状態量測定部が測定した状態量を示す状態量データと、前記状態量測定部が前記状態量を測定した時刻とを対応付けて記憶する記憶部と、
前記記憶部が記憶している状態量データを送信する送信部と、
前記蓄電池に充電または放電を指示する充放電指令データを受信する受信部と、
前記充放電指令データに基づいて、前記蓄電池の充放電量を制御する制御部と、
を備える蓄電装置の制御装置。
【００７９】
（付記５）前記充放電指令データに対応する実際の充放電量を計測する充放電測定部、
を備える付記４に記載の蓄電装置の制御装置。
【００８０】
（付記６）前記制御部は、
前記蓄電池の充放電量を周期毎に変更する、
付記４または付記５に記載の蓄電装置の制御装置。
【００８１】
（付記７）前記制御部は、
前記充放電指令データに基づき、前記蓄電池の状態量に応じた波形の制御信号を生成し、生成した制御信号を用いて前記蓄電池の充放電量を制御する、
付記４から付記６の何れか一に記載の蓄電装置の制御装置。
【００８２】
（付記８）付記１から付記３の何れか一に記載の情報処理装置と、
付記４から付記７の何れか一に記載の蓄電装置の制御装置と、
前記蓄電装置が備える蓄電池と、
を備える電力システム。
【００８３】
（付記９）蓄電装置からの状態データに基づいて、前記蓄電装置が備える蓄電池に充電または放電を指示する充放電指令データを生成すること、
を含む制御方法。
【００８４】
（付記１０）電力系統に接続されている蓄電池の状態量を測定することと、
測定した状態量を示す状態量データと、前記状態量を測定した時刻とを対応付けて記憶することと、
記憶している状態量データを送信することと、
前記蓄電池に充電または放電を指示する充放電指令データを受信することと、
前記充放電指令データに基づいて、前記蓄電池の充放電量を制御することと、
を含む制御方法。
【００８５】
（付記１１）電力系統に接続されている蓄電池の状態量を測定することと、
測定した状態量を示す状態量データと、前記状態量を測定した時刻とを対応付けて記憶することと、
記憶している状態量データを送信することと、
前記状態量データを含む状態データに基づいて、前記蓄電池に充電または放電を指示する充放電指令データを生成すること、
前記充放電指令データを受信することと、
前記充放電指令データに基づいて、前記蓄電池の充放電量を制御することと、
を含む制御方法。
【００８６】
（付記１２）コンピュータに、
蓄電装置からの状態データに基づいて、前記蓄電装置が備える蓄電池に充電または放電を指示する充放電指令データを生成すること、
を実行させるプログラム。
【００８７】
（付記１３）コンピュータに、
電力系統に接続されている蓄電池の状態量を測定することと、
測定した状態量を示す状態量データと、前記状態量を測定した時刻とを対応付けて記憶することと、
記憶している状態量データを送信することと、
前記蓄電池に充電または放電を指示する充放電指令データを受信することと、
前記充放電指令データに基づいて、前記蓄電池の充放電量を制御することと、
を実行させるプログラム。
【００８８】
（付記１４）コンピュータに、
電力系統に接続されている蓄電池の状態量を測定することと、
測定した状態量を示す状態量データと、前記状態量を測定した時刻とを対応付けて記憶することと、
記憶している状態量データを送信することと、
前記状態量データを含む状態データに基づいて、前記蓄電池に充電または放電を指示する充放電指令データを生成すること、
前記充放電指令データを受信することと、
前記充放電指令データに基づいて、前記蓄電池の充放電量を制御することと、
を実行させるプログラム。
【符号の説明】
【００８９】
１・・・電力システム
１０、１０ａ、１０ｂ、１０ｃ・・・蓄電装置
２０・・・情報処理装置
３０・・・通信ネットワーク
１０１・・・蓄電池
１０２・・・測定部
１０３・・・記憶部
１０４・・・送信部
１０５・・・受信部
１０６・・・制御部
１０７・・・電力変換部
２０１・・・電力系統計測部
２０２・・・演算部
２０１１・・・周波数測定部
２０１２・・・電力測定部
２０２１・・・オフセット生成部
２０２２・・・状態取得部
２０２３・・・分類部
２０２４・・・指令値生成部
【図１】
2018157647.tif 000003
【図２】
2018157647.tif 000004
【図３】
2018157647.tif 000005
【図４】
2018157647.tif 000006
【図５】
2018157647.tif 000007
【図６】
2018157647.tif 000008
【図７】
2018157647.tif 000009
【図８】
2018157647.tif 000010
【図９】
2018157647.tif 000011
【図１０】
2018157647.tif 000012
【図１１】
2018157647.tif 000013
【図１２】
2018157647.tif 000014
【図１３】
2018157647.tif 000015
【図１４】
2018157647.tif 000016